(57)【要約】【課題】  折れた脊椎骨又は骨粗鬆症で脆弱化した脊椎骨の治療やリハビリに使用でき、且つその植え込み操作が簡単な脊椎リハビリ復位具を提供すること。【解決手段】  一つの上嵌め込み片と、一つの下受け片と一つの楔状片で構成される骨茎から脊椎骨の中に植え込まれる脊椎骨リハビリ復位具にして、楔状片を上嵌め込み片と下受け片の間にさしこみ、上嵌め込み片と下受け片を各上下に押し広げて支持し、且つ臨床検査を根拠にして楔状片の厚みを変更して復位具の体積を調節して、復位具を植え込んだ傷害を受けた脊椎骨を押し広げてその位置を復位させる。【選択図】図１
0003108284.tif 000002
【実用新案登録請求の範囲】
【請求項１】
脊椎骨茎から脊椎骨の中に植え込まれる脊椎骨リハビリ復位具であって、
一つの前端部と一つの後端部と前記前端部と前記後端部の間に形成される一つの嵌め込み部とで構成される一つの上嵌め込み片と、
前記上嵌め込み片の前記上嵌め込み片の前記嵌め込み部を受け入れる一つの嵌め中空部を有する一つの下受け片と、
前記上嵌め込み片の前記嵌め込み部と前記下受け片の嵌め中空部との間の空隙に嵌め込まれて前記上嵌め込み片と前記下受け片とを各上下に押し広げると共に、且つその前端面に一つのねじ孔を有する楔状片とを組み合わせて構成することを特徴とする、
脊椎骨リハビリ復位具。
【請求項２】
前記上嵌め込み片はその外表面がざらざらした粗雑面を呈することを特徴とする、請求項１に記載の脊椎骨リハビリ復位具。
【請求項３】
前記下受け片はその外表面がざらざらした粗雑面を呈することを特徴とする、請求項１に記載の脊椎骨リハビリ復位具。
【請求項４】
前記上嵌め込み片はその嵌め込み部の前端と後端の上下部に各一つの横向きの凹み部を有し、前記下受け片の前端と後端には各一つの逆Ｔ形口と一つのＵ形口を形成し、前記逆Ｔ形口と前記Ｕ形口を限定する二つの側面壁は前記上嵌め込み片の前記凹み部と相互に嵌り合うことを特徴とする、請求項１に記載の脊椎骨リハビリ復位具。
【請求項５】
前記下受け片はその前端面に復位具を植え込むために使用する工具が嵌る複数の凹み孔を形成していることを特徴とする、請求項１に記載の脊椎骨リハビリ復位具。
【請求項６】
前記楔状片はその前端から下に伸びた一つの延長部を有することを特徴とする、請求項１に記載の脊椎骨リハビリ復位具。
【請求項７】
脊椎骨茎から脊椎骨の中に植え込まれる脊椎骨リハビリ復位具であって、
一つの前端と一つの後端と前記前端から前記後端の間に設けられた一つの嵌め込み部と前記嵌め込み部の底端面に形成される一つのねじ山部と前端面に設けられた一つのねじ孔とを持つ一つの上嵌め込み片と、
前記上嵌め込み片の前記嵌め込み部を受け入れる一つの嵌め中空部と前記嵌め中空部の底側面に形成している一つのねじ山部を有する一つの下受け片と、
前記上嵌め込み片の嵌め込み部のねじ山部と前記下受け片のねじ山部と螺合して外から中にねじ込まれて前記上嵌め込み片と前記下受け片と咬み合う一つのねじとを組み合わせて構成することを特徴とする、
脊椎骨リハビリ復位具。
【請求項８】
前記上嵌め込み片はその外表面がざらざらの粗雑面を呈することを特徴とする、請求項7に記載の脊椎骨リハビリ復位具。
【請求項９】
前記下受け片はその外表面がざらざらの粗雑面を呈することを特徴とする、請求項７に記載の脊椎骨リハビリ復位具。
【請求項１０】
前記上嵌め込み片はその嵌め込み部の前端と後端の上下部に横向きに各一つの凹み部を有し、前記下受け片はその前端と後端に各一つの逆T形口と一つのＵ形口を有し、前記逆Ｔ形口と前記Ｕ形口を形成する二つの側面壁は前記上嵌め込み片の凹み部と相互に嵌り合うことを特徴とする、請求項７に記載の脊椎骨リハビリ復位具。
【請求項１１】
前記下受け片の前端面は復位具を植え込む工具と嵌る複数の凹み孔を形成していることを特徴とする、請求項７に記載の脊椎骨リハビリ復位具。
【請求項１２】
前記楔状片はその前端から下に伸びる一つの延長部を有することを特徴とする、請求項７記載の脊椎骨リハビリ復位具。
【考案の詳細な説明】
【技術分野】
【０００１】
本考案は脊椎骨や骨粗鬆症の治療とリハビリに使用される、脊椎骨リハビリ用復位具に関する。
【背景技術】
【０００２】
月経が停止した女性は大概ある程度の骨粗鬆症を患い、男性も年を取るとやはり同様な問題がある。
骨粗鬆症は骨骼のカルシウムが流出し、減少して骨がゆるくなったり脆くなったり、弱くなったりして容易に折れる症状で、特に脊椎骨がなり易い。
【０００３】
骨粗鬆症にかかり易いファクターは次のようなものがある。
１．種族
黒色人種は骨質の密度が一般的に高く、白色人種と黄色人種は骨質の密度が比較的低いので骨粗鬆症にかかり易い。
２．生活形態
タバコを吸ったり、酒、コーヒーやお茶などを飲み過ぎたり、運動が不足したり過ぎると骨質に悪い影響を与える。
３．遺伝
遺伝により骨粗鬆症にかかり易い。
４．葯物（薬物）
長期にコレステロール、甲状腺素、利尿剤、テトラサイクリン、肝素、てんかん葯、リチウムソルト、アルミ含有抗酸剤等を服用したり、化学治療すると骨粗鬆症になり易い。
５．性線効能
男性の性機能の減退や、女性の自然的或いは手術による早期性月経停止などは骨粗鬆症を引き起こし易い。
６．性別、体質、年齢
女性は男性よりも６倍乃至８倍で骨粗鬆症にかかり易く、又身体が痩せているか小さい場合、未産婦や年齢が高い人もやはり同じく骨粗鬆症にかかり易い。
【０００４】
骨粗鬆症及び脊椎骨が折れた時の伝統式治療法は大体二種類あって、その一種は、脊椎骨の後方から網釘を打って固定する方法である。もう一つは脊椎骨の前方から骨を植え込んで脊椎骨を固定させる方法である。
この両方法はともに上方二個の脊椎骨と下方２個の脊椎骨と一緒に固定しなければならないから、一個の脊椎骨が損傷を受けたときは五個の脊椎骨の活動が犠牲になるので、脊椎が硬化してその運動性が悪くなる。
また更に骨質が粗鬆している場合は、折れた脊椎骨を復位させてもう一つの中空間が残る。若しこの中空間を補強しなければ、ただ網釘で後方から固定しても安定しない。著しい場合は緩んで断裂する可能性もあり、そうなれば手術は失敗に終わる。
又脊椎骨の前方から骨を植え込む方法は、胸部或いは腹部から手術を行わなければならないから、その付近の器官、例えば肺とか血管などを傷つけるかも知れない上に、手術に要する時間も相当長くかかる。同時に肋骨を切除したり、贈与された骨を使用する時は病菌感染の問題も起きるかも知れない。
【考案の開示】
【考案が解決しようとする課題】
【０００５】
本案は骨茎から脊椎骨の中に植え込められて脊椎骨リハビリに使用できて、それで傷害を受けた脊椎骨を元の位置に回復させることができる、脊椎骨リハビリ用復位具を提供することをその目的とする。
【課題を解決するための手段】
【０００６】
本願の第１考案に係る脊椎骨リハビリ復位具は、前記第１考案において、脊椎骨茎から脊椎骨の中に植え込まれる脊椎骨リハビリ復位具であって、一つの前端部と一つの後端部と前記前端部と前記後端部の間に形成される一つの嵌め込み部とで構成される一つの上嵌め込み片と、前記上嵌め込み片の前記上嵌め込み片の前記嵌め込み部を受け入れる一つの嵌め中空部を有する一つの下受け片と、前記上嵌め込み片の前記嵌め込み部と前記下受け片の嵌め中空部との間の空隙に嵌め込まれて前記上嵌め込み片と前記下受け片とを各上下に押し広げると共に、且つその前端面に一つのねじ孔を有する楔状片とを組み合わせて構成することを特徴とするものである。
本願の第２考案に係る脊椎骨リハビリ復位具は、前記第１考案において、前記上嵌め込み片はその外表面がざらざらした粗雑面を呈することを特徴とするものである。
本願の第３考案に係る脊椎骨リハビリ復位具は、前記第１考案において、前記下受け片はその外表面がざらざらした粗雑面を呈することを特徴とするものである。
本願の第４考案に係る脊椎骨リハビリ復位具は、前記第１考案において、前記上嵌め込み片はその嵌め込み部の前端と後端の上下部に各一つの横向きの凹み部を有し、前記下受け片の前端と後端には各一つの逆Ｔ形口と一つのＵ形口を形成し、前記逆Ｔ形口と前記Ｕ形口を限定する二つの側面壁は前記上嵌め込み片の前記凹み部と相互に嵌り合うことを特徴とするものである。
本願の第５考案に係る脊椎骨リハビリ復位具は、前記第１考案において、前記下受け片はその前端面に復位具を植え込むために使用する工具が嵌る複数の凹み孔を形成していることを特徴とするものである。
本願の第６考案に係る脊椎骨リハビリ復位具は、前記第１考案において、前記楔状片はその前端から下に伸びた一つの延長部を有することを特徴とするものである。
本願の第７考案に係る脊椎骨リハビリ復位具は、脊椎骨茎から脊椎骨の中に植え込まれる脊椎骨リハビリ復位具であって、一つの前端と一つの後端と前記前端から前記後端の間に設けられた一つの嵌め込み部と前記嵌め込み部の底端面に形成される一つのねじ山部と前端面に設けられた一つのねじ孔とを持つ一つの上嵌め込み片と、前記上嵌め込み片の前記嵌め込み部を受け入れる一つの嵌め中空部と前記嵌め中空部の底側面に形成している一つのねじ山部を有する一つの下受け片と、前記上嵌め込み片の嵌め込み部のねじ山部と前記下受け片のねじ山部と螺合して外から中にねじ込まれて前記上嵌め込み片と前記下受け片と咬み合う一つのねじとを組み合わせて構成することを特徴とするものである。
本願の第８考案に係る脊椎骨リハビリ復位具は、前記第７考案において、前記上嵌め込み片はその外表面がざらざらの粗雑面を呈することを特徴とするものである。
本願の第９考案に係る脊椎骨リハビリ復位具は、前記第７考案において、前記下受け片はその外表面がざらざらの粗雑面を呈することを特徴とするものである。
本願の第１０考案に係る脊椎骨リハビリ復位具は、前記第１考案において、前記上嵌め込み片はその嵌め込み部の前端と後端の上下部に横向きに各一つの凹み部を有し、前記下受け片はその前端と後端に各一つの逆T形口と一つのＵ形口を有し、前記逆Ｔ形口と前記Ｕ形口を形成する二つの側面壁は前記上嵌め込み片の凹み部と相互に嵌り合うことを特徴とするものである。
本願の第１１考案に係る脊椎骨リハビリ復位具は、前記第７考案において、前記下受け片の前端面は復位具を植え込む工具と嵌る複数の凹み孔を形成していることを特徴とするものである。
本願の第１２考案に係る脊椎骨リハビリ復位具は、前記第７考案において、前記楔状片はその前端から下に伸びる一つの延長部を有することを特徴とするものである。
【０００７】
本考案に係る脊椎骨リハビリ復位具は一つの上嵌め込み片と、一つの下嵌め受け片と一つの楔状片とで構成され、楔状片を上嵌め込み片と下嵌め受け片の間の空隙に嵌め込んで上下に押し広げて支持し、更に臨床検査により楔状片の厚みを変更して、植え込んだ復位具の全体の体積を調節して脊椎骨の元の位置に復位できるように傷害を受けた脊椎骨を自然とリハビリする様にする。
【０００８】
楔片は障害を受けた脊椎骨のその傷害程度によりその厚みを適当なものに変更でき、それでこの復位具を植え込んだその脊椎骨の全体の縦方向の高さを元の位置の高さに復位させる。
【考案の効果】
【０００９】
（１）本考案に係る復位具は骨茎から孔をあけて植え込まれるので、腹部や胸部から手術する必要がなく、緩くなったり脆くなった脊椎骨のなかに植え込まれる。それで脊椎骨の骨質を強化できる。同時に、楔状片又はねじで嵌め込み又はねじこめて上嵌め込み片と下受け片の間の空隙に安定して脊椎骨を上下に押し広げて支持することが可能となる。
【００１０】
（２）患者自身の骨或いは人造代用骨を植え込んで、脊椎骨の正常の高さと広さに維持することができる。
【００１１】
（３）復位具の外表面は小粒の突起が沢山あるざらざら面にしてあるので、それで骨の成長の役にも立つと共に脊椎骨の接合の安定性を増加できる。
【００１２】
（４）傷害を受けたその脊椎骨に植え込まれた復位具は決して外の健康な脊椎骨に傷害を及ぼす心配もなく、活動にも悪影響を与えない。
【００１３】
（５）復位具の縦方向の厚みを調節できて、それで脊椎骨の復位の範囲を任意に調節することができる。
【考案を実施するための最良の形態】
【００１４】
本考案に係る脊椎骨リハビリ復位具は図１に示す様に、外表面がざらざらな一つの上嵌め込み片１と、外表面が同じ様にざらざらな一つの下受け片２と、上嵌め込み片１と下受け片２の間に嵌め込まれる一つの楔状片とを組み合わせて構成する。
【００１５】
上嵌め込み片１は一つの前端面11と一つの後端部14と、前端面11と後端部14の間に形成される一つの嵌め込み12とを持ち、更に嵌め込み部12の上端部と下端部とはその上部と下部に各一つの横向きの一つの凹み部13を形成している。その前端面11には一つのねじ孔15を設けて植え込み工具と螺着して、本案の復位具を脊椎骨４の中に植え込むことができるようになっている。
【００１６】
下受け片２は一つの上向き開き口を有する一つの嵌め中空部21と、前端に設けられる一つの逆Ｔ形口22と、後端に設けられる一つのＵ形口23と、逆Ｔ形口22を限定する一つの側壁24とＵ形口を限定する一つの側壁24とを有し、嵌め中空部21は上嵌め込み片１の嵌め込み部12を受け入れ、両側壁24は上嵌め込み片１の凹み部13と相互に嵌り合う。
【００１７】
楔状片３はその尖った先端から上嵌め込み片１の嵌め込み片12と下受け片2の嵌め中空部21の間の空隙の中に押し込められて、それで両片１と２を押し広げて支持する。それで障害状況により楔状片３の厚みは脊椎骨のその厚みを適当なものに変更することができ、それで脊椎骨の全体の体積を元の様にする。更に楔状３の前端面には一つのねじ孔31を設けて植え込み工具と羅着できるようにする。
【００１８】
次に本考案に係る復位具を脊椎骨４の中に植え込むときは、図２に示す様に脊椎骨４の骨茎41の個所に一つの植え込み孔42を開けてから、上嵌め込み部12を下受け片２の嵌め中空部２１に嵌め込んでおき、嵌め合わせた両片１と２を植え込み孔42に押し込んでから、植え込み工具を楔状片３に固く螺着したあと、楔状片３を両片１と２の嵌め込み部12に嵌め中空部21の間の空隙に圧迫的に押し込み、楔状片３で上嵌め込み片１と下受け片２とを各上方と下方に押して、脊椎骨４を広げる様に植え込まれる。
【００１９】
更に、傷害のある脊椎骨４に復位具を植え込んだあと、患者の状況により、その復位具を持つ脊椎骨４のすぐ上とすぐ下の脊椎骨の間に、図３に示す様に一つの骨釘５を補助的に固定して、脊椎の安定性を強化することも可能である。
【００２０】
なお、本案の復位具は骨茎41の解剖構造を基準として設計してあり、骨茎41はその縦断面が楕円形と長方形の中間の形状押していて、上下が比較的大きく、左右が比較的小さい。
【００２１】
又、その高さは脊椎骨41の高さの約50％〜60％である。故にこの寸法により設計すれば、本案の復位具が骨茎41から脊椎骨４の中に植え込まれたら、少なくとも50％〜60％にその位置を回復させることもできる。
又更にのこっている脊椎骨４の部分を加えると、約70％〜80％となる。その外、楔状片３の厚みを調節して復位具の縦の高さを20％〜30％にすることができ、それで、復位具を植えた脊椎骨４は骨折前の大きさに達するから、それで復位の目的が果たされる。
【００２２】
更に本案の復位具の第二実施例を図４に示す。
本例では、一つの上嵌め込み片と一つの下受け片２と、一つのねじ３とで組み合わせて構成する。
第二実施例の上嵌め込み片１は殆んど第一実施例のものと同じ様な構造を持つが、その嵌め込み部12の底面に一つのねじ山部16を形成し、又下受け片２の嵌め中空部21の底面にも一つのねじ山部25を成形している。
又更に第一実施例の楔状片はなく、その代わりに一つのねじ６を有し、このねじ６が上嵌め込み片１と下受け片２の嵌め込み部12と嵌め中空部21の間にねじ山部16と25とねじ合って嵌め込まれて両片１と２と咬み合って安定に支持する外上嵌め込み片１と下受け片２を各上下方に広げる。図５はこの状態を示す。
【００２３】
更に、図６は本案の復位具の第三実施例を示す。
本例は第一実施例と大体同じ構造で、一つの上嵌め込み片１と一つの下受け片と一つの楔状片３とで組み合わせて構成される。但し第三実施例の楔状片３は第一実施例のものと少し異なり、その前端に下方に伸びた一つの延長部32を増設していて、この楔状片３を上嵌め込み片１の嵌め込み部12と下受け片２の嵌め中空部21の間の空隙にさし込まれたら、この延長部32の前端面が上嵌め込み片１の前端面と同じ平らになる。図７はこの状態を示す。
【図面の簡単な説明】
【００２４】
【図１】本案の脊椎骨リハビリ復位具の第一実施例の分解斜視図である。
【図２】本案の脊椎骨リハビリ復位具の第一実施例が使用されている一種の状況を示す側面断面図である。
【図３】本案の脊椎骨リハビリ復位具の第一実施例が使用されている別の一種の状況を示す側面断面図である。
【図４】本案の脊椎骨リハビリ復位具の第二実施例の分解斜視図である。
【図５】本案の脊椎骨リハビリ復位具の第二実施例が使用されている状況を示す側面断面図である。
【図６】本案の脊椎骨リハビリ復位具の第三実施例の分解斜視図である。
【図７】本案の脊椎骨リハビリ復位具の第三実施例が使用されている状況を示す側面断面図である。
【符号の説明】
【００２５】
１・・・・・・上嵌め込み片
１１・・・・・上端面
１２・・・・・嵌め込み部
１３・・・・・凹み部
１４・・・・・後端部
１５・・・・・ねじ孔
１６・・・・・ねじ山
２・・・・・・下受け片
２１・・・・・嵌め中空部
２２・・・・・逆Ｔ形口
２３・・・・・Ｕ形口
２４・・・・・側面壁
２５・・・・・ねじ山
２６・・・・・凹み孔
３・・・・・・楔状片
３１・・・・・ねじ孔
３２・・・・・延長部
４・・・・・・脊椎骨
４１・・・・・脊椎骨茎
４２・・・・・植え込み孔
５・・・・・・骨釘
６・・・・・・ねじ
【図１】
0003108284.tif 000003
【図２】
0003108284.tif 000004
【図３】
0003108284.tif 000005
【図４】
0003108284.tif 000006
【図５】
0003108284.tif 000007
【図６】
0003108284.tif 000008
【図７】
0003108284.tif 000009